(57)【要約】【課題】  耐久性と深みのある立体装飾が得られ、かつ安価で自由に変更可能な立体模様装飾体、及びこの立体模様装飾体を備えた電気製品を提供する。【解決手段】  電気製品に適用される立体模様装飾体１００は、この立体模様装飾体１００のベース部材となる透明シート１１０と、この透明シート１１０の一面に印刷される色味を付加する透過性のあるカラー層１２０と、このカラー層１２０に重ね印刷される連続した線模様で形成される干渉縞で構成される透明な紫外線硬化型インキ層１３０と、この透明な紫外線硬化型インキ層１３０に重ね印刷される鏡面層１４０と、この鏡面層１４０に重ね印刷される抑え印刷層１５０とを備え、紫外線硬化型インキ層１３０を複数の波形の線が連続して配列される線模様で構成する。【選択図】  図１
2011245627.tif 000002
【特許請求の範囲】
【請求項１】
立体模様装飾体のベース部材となる透明シートと、この透明シートの一面に印刷される鏡面層との間に、連続した線模様で形成される干渉縞で構成される透明な紫外線硬化型インキ層を備えた
ことを特徴とする立体模様装飾体。
【請求項２】
請求項１記載の立体模様装飾体において、
前記透明シートは、柔軟性のある樹脂材料で形成した
ことを特徴とする立体模様装飾体。
【請求項３】
請求項１または２記載の立体模様装飾体において、
前記紫外線硬化型インキ層は、複数の波形の線が連続して配列される線模様である
ことを特徴とする立体模様装飾体。
【請求項４】
請求項１から３の何れかに記載の立体模様装飾体において、
前記透明シートと前記鏡面層との間に、色味を付加する透過性のあるカラー層を設けた
ことを特徴とする立体模様装飾体。
【請求項５】
請求項４記載の立体模様装飾体において、
前記カラー層は、前記透明シートと前記紫外線硬化型インキ層との間に設けられている
ことを特徴とする立体模様装飾体。
【請求項６】
請求項１から５の何れかに記載の立体模様装飾体において、
前記鏡面層の裏面側に抑え印刷層を備えた
ことを特徴とする立体模様装飾体。
【請求項７】
立体模様装飾体を筺体の表面に設けた電気製品であって、
前記立体模様装飾体は、
この立体模様装飾体のベース部材とる透明シートと、この透明シートの一面に印刷される鏡面層との間に、連続した線模様で形成される干渉縞で構成される透明な紫外線硬化型インキ層を備えた
ことを特徴とする立体模様装飾体を備えた電気製品。
【請求項８】
立体模様装飾体を筺体の表面に設けた電気製品であって、
前記立体模様装飾体は、
この立体模様装飾体のベース部材とる透明シートと、
この透明シートの一面に印刷される色味を付加する透過性のあるカラー層と、
このカラー層に重ね印刷される連続した線模様で形成される干渉縞で構成される透明な紫外線硬化型インキ層と、
この透明な紫外線硬化型インキ層に重ね印刷される鏡面層と、
この鏡面層に重ね印刷される抑え印刷層とを備えた
ことを特徴とする立体模様装飾体を備えた電気製品。
【請求項９】
請求項７または８記載の立体模様装飾体を備えた電気製品において、
前記紫外線硬化型インキ層は、複数の波形の線が連続して配列される線模様である
ことを特徴とする立体模様装飾体を備えた電気製品。
【発明の詳細な説明】
【技術分野】
【０００１】
本発明は、干渉縞を用いて透明材料に立体模様を浮き立たせる立体模様装飾体、及びこの立体模様装飾体を備えた電気製品に関するものである。
【背景技術】
【０００２】
従来、洗濯機などの電気製品においては、操作部や洗濯機の開閉蓋などに透明な飾り部材を設けて、深みのある立体模様を加飾した電気製品が提案されている。これら深みのある立体模様を出現させる飾り部材として、干渉縞を用いて深みのある立体模様を出現させる技術が提案されている。
【０００３】
例えば、上記従来技術においては、透明性を有する多数の独立した凸状集光素と、多数の着色画素を印刷又は形成した点描画模様とを透明基板の表面と裏面に分けて設けた装飾体が提案されている。あるいは、他の従来技術では、透明性シートの一面に、所定のピッチで繰り返された第１の模様を有する第１のパターン部を設け、前記透明性シートの他面に、前記第１の模様と相似形状又は所定のピッチで繰り返された第２の模様を用いて形成されたモアレ模様（干渉縞）を有する第２のパターン部を設けた装飾シートが提案されている。
【０００４】
これらの従来技術によれば、凸状集光素及び着色画素と、第１及び第２の模様とを所定のピッチで規則正しく配列しているので、何れの方向から見てもモアレ模様が略同一に変化することができる。しかし、模様密度の変化や色の濃淡が無く、見る方向及び角度によって、模様密度及び色の濃度が密状態と粗状態とに変化するようなグラデーションのモアレ模様を立体的に現出する効果が得られないという課題もある。
【０００５】
そこで、他の従来技術では、所望の色に着色したドット状の模様を連続して所定のパターンに複数層付設し、この装飾体及び各模様の表面に、略半球形状断面を有する透明なドット状の凸レンズを連続して上記模様と略同一のパターンに付設し、上記各模様及び凸レンズのパターンをモアレ模様が現出する角度に変位させて、各模様及び凸レンズ或いはこれら模様及び凸レンズを、装飾体表面に設定した密領域に向けて徐々に密状態となるように配列し、該密領域から遠くなる部分に設定した粗領域に向けて徐々に粗状態となるようなグラデーションに配列した立体模様装飾体が提案されている。
【０００６】
一方、電気洗濯機の立体装飾体においては、透明材の表面をフラットに形成し、裏面には連続した凹凸形状を設けた技術が開示されている。この技術によれば、表面側が光沢感のある深みのある外観が得られるとともに、表面側がざらつくことがなく手触りよい外観を得ることができる。
【先行技術文献】
【特許文献】
【０００７】
【特許文献１】特許第３３３８８６０号公報
【特許文献２】特許第３１３１７７１号公報
【特許文献３】特開２００５−１９３５０１号公報
【特許文献４】特開２００８−２５３４８８号公報
【発明の概要】
【発明が解決しようとする課題】
【０００８】
前記印刷技術を用いた立体模様装飾体によれば、透明部材の表面に、透明なドット状の凸レンズを連続して設けているので、表面側がざらついてしまう課題がある。しかも、表面側に凹凸が形成されているので、耐久性に課題がある。
【０００９】
一方、透明部材の裏面側に凹凸形状を設ける従来例では、凹凸を型成形する必要があるので、成形型の作成コストに課題がある。
【００１０】
そこで、本発明の目的とするところは、耐久性と深みのある立体装飾が得られ、かつ安価で自由に変更可能な立体模様装飾体、及びこの立体模様装飾体を備えた電気製品を提供することにある。
【課題を解決するための手段】
【００１１】
前記目的を達成するために、本発明に係る立体模様装飾体、及びこの立体模様装飾体を備えた電気製品では、立体模様装飾体のベース部材となる透明シートと、鏡面層との間に、連続した線模様で形成される干渉縞で構成される透明な紫外線硬化型インキ層を備えるようにする。
【発明の効果】
【００１２】
本発明によれば、透明な紫外線硬化型インキ層がレンズ効果の作用を備えているので、透明シートを透過した光は、透明な紫外線硬化型インキ層を透過することにより、その連続した線模様に対応して屈折し、この屈折した線模様が鏡面層を介して変化するので、見る角度に対応して変化する深みのある干渉縞を出現させることができる。また、透明部材（透明シート）に凹凸を型成形する必要がないので、安価で自由に変更可能な立体模様装飾体を提供することができる。しかも、立体模様装飾体の表面は、フラットに形成されているので耐久性に優れ、かつ、表面側がざらつくことがなく手触りよい外観を得られるため、電気製品に良好に適用することができる。
【図面の簡単な説明】
【００１３】
【図１】本発明の一実施例に係る立体模様装飾体を備えた電気洗濯機の概略構成図である。
【図２】本発明の一実施例に係る立体模様装飾体の製造工程を示す製造工程図である。
【図３】本発明の一実施例に係る立体模様装飾体の光の反射作用を示す断面図である。
【図４】本発明の一実施例に係る立体模様装飾体の光の反射作用を示す表面図である。
【図５】本発明の他の実施例に係る立体模様装飾体を示すパターン図である
【発明を実施するための形態】
【００１４】
以下、この発明に係る立体模様装飾体を電気洗濯機に適用した事例を具体的に説明する。ここで、図１から図４が第１の実施例に係る立体模様装飾体を電気洗濯機に適用した事例を示し、図５は他の応用例に係る立体模様装飾体を示している。
【００１５】
先ず、図１を参照して、この実施例に係る電気洗濯機の概略構造を具体的に説明する。ここで、図１は、本発明に係る立体模様装飾体を備えた電気洗濯機の概略構成図である。
【００１６】
図１において、符号１で総括的に示す電気洗濯機は、その筺体１０内に、回転軸を垂直とし、上方が開放した図示しない洗濯槽を備えた縦型電気洗濯機と呼ばれるものである。筺体１０は、鋼板製のベース筺体１１と、このベース筺体１１の上部を覆う樹脂成型品のトップカバー１２と、ベース筺体１１の下部を覆う樹脂成型品の下部筺体１３とを含んで構成される。
【００１７】
トップカバー１２は、その上面中央に設けられる図示しない衣類投入口を覆う開閉蓋２０が設けられ、この開閉蓋２０の前部には、操作スイッチ部１４を備えた前部配置面１５、開閉蓋２０の後部には、給水口１６を備えた後部配置面１７がそれぞれ形成されている。
【００１８】
この実施例に係る開閉蓋２０は、中央の連結部２１を介して前後に２つ折れする開放構造を備えており、連結部２１の前部に設けたハンドル２２を介して後方に向かって押し込む操作により、連結部２１が上方に立ちあがるように折れて開閉蓋２０を開放することができる。この開閉蓋２０の開放動作により、前記衣類投入口が露出するので、洗濯槽への衣類の出し入れを上方より行うことができる。
【００１９】
そして、この電気洗濯機１の大きな特徴の１つは、耐久性と深みのある立体装飾が得られるシート状の立体模様装飾体１００を開閉蓋２０に設けた点にある。
【００２０】
即ち、従来から電気洗濯機においては、意匠性を向上するために、装飾パネルを設けることが一般化している。特に、近年においては、単なる平面模様から深みのある模様を備えた装飾部材が提案されている。例えば、透明樹脂材料の裏面に凹凸模様を形成することで、前記課題を解決しようとした事例も見られる。しかし、透明な樹脂成型品では適用範囲も限られており、また、成形型の作成に精度がいるなどの課題がある。
【００２１】
そこで、この実施例では、透明なシート材をベースとする立体模様装飾体１００を、例えば、開閉蓋２０の所定の位置に貼り付ける構造を採用した。これにより、適用範囲を拡大することができる。
【００２２】
また、本発明に係るシート状の立体模様装飾体１００の大きな特徴の他の１つは、立体模様装飾体１００のベース部材となる透明シート１１０と、鏡面層１４０との間に、連続した線模様で形成される干渉縞で構成される透明な紫外線硬化型インキ層１３０を積層して印刷した点にある。
【００２３】
即ち、従来の干渉縞を利用した立体模様装飾体は、レンズ効果を得られるドット状の凸レンズと模様とを透明シートの表面と裏面に分けて設けたり、あるいは、印刷した模様の表面にドット状の凸レンズを印刷するものが知られている。しかし、これらの従来技術は、その表面にドット状の凸レンズが付されているため、これを電気洗濯機に適用しようとした場合、表面に露出するドット状の凸レンズの耐久性に課題がある。また、この構造では、表面に凹凸が形成されるので、表面がざらつき、手触りが良好でないとの課題がある。
【００２４】
そこで、この実施例に係る立体模様装飾体１００では、透明シート１１０の表面をフラットに形成し、その裏面側にレンズ効果をもたらす紫外線硬化型インキ層１３０を備えるようにしている。これにより、紫外線硬化型インキ層１３０の耐久性を向上させるとともに、表面がざらつくことなく手触りが良好な外観を得ることができる。しかも、透明部材（透明シート１１０）に凹凸を形成する必要がないので、安価でデザインを自由に変えることができる立体模様装飾体を提供することができる。
【００２５】
また、従来技術では、レンズ効果を得られるドット状の凸レンズと、干渉模様とを対で設けることで、奥行きのある干渉縞を得ようとしている。しかし、この実施例に係る立体模様装飾体１００では、干渉縞自体を連続した線模様で形成される立体模様としているので、ドット状の凸レンズとパターンとの位置合わせを気にする必要がない。
【００２６】
特に、この実施例では、連続した線模様で形成される模様を、規則性を備えた波形で形成される1本の波形線１３１を横方向に同一ピッチで多数配列させた模様とすることで、見る角度により、あるいは、光源の位置により変化する深みのある干渉縞を出現させることができる。
【００２７】
また、この実施例では、透明シート１１０と鏡面層１４０との間に紫外線硬化型インキ層１３０を設けたので、連続した線模様で形成される模様を鏡面層１４０で反射させて、模様がはっきりした深みのある干渉縞を出現させることができる。
【００２８】
このように、この実施例によれば、透明な紫外線硬化型インキ層１３０がレンズ効果の作用を備えているので、透明シート１１０を透過した光は、透明な紫外線硬化型インキ層１３０を透過することにより、その連続した線模様に対応して屈折し、この屈折した線模様が鏡面層１４０を介して変化するので、見る角度に対応して変化する深みのある干渉縞を見やすく出現させる立体模様装飾体１００を提供することができる。しかも、立体模様装飾体１００の表面は、フラットに形成されているので耐久性に優れ、電気製品に良好に適用することができる。
【００２９】
また、この実施例に係る立体模様装飾体１００の大きな特徴の他の１つは、深みのある干渉縞に色味を付加させるカラー層１２０を紫外線硬化型インキ層とともに透明シート１１０と鏡面層１４０との間に積層させた点にある。
【００３０】
特に、この実施例のカラー層１２０は、透明シート１１０と紫外線硬化型インキ層１３０との間に積層させているので、透明シート１１０を透過した光は、カラー層１２０を通過することで色味が付加され、この色味を付加された光は、紫外線硬化型インキ層１３０を通過することで、その線模様に対応して屈折して、ずれた模様として鏡面層１４０で反射されるので、色味が付加された深みのある干渉縞を出現させることができる。
【００３１】
そして、この実施例の立体模様装飾体１００では、立体模様装飾体１００のベース部材となる透明シート１１０の裏面側に、色味を付加させたカラー層１２０を印刷し、そのカラー層１２０の上に連続した線模様で形成される干渉縞で構成される透明な紫外線硬化型インキ層１３０を重ね印刷し、その紫外線硬化型インキ層１３０の上に光を反射させる鏡面層１４０を重ね印刷し、最後に前記積層した印刷を安定させる抑え印刷層１５０を鏡面層１４０の上に印刷することにより、多様な家電品に適用可能な立体模様装飾体１００を提供することができる。
【００３２】
以下、この実施例に係る立体模様装飾体１００を、図２から図４を参照して更に詳細に説明する。ここで、図２は、本発明の一実施例に係る立体模様装飾体の製造工程を示す製造工程図である。図３は、本発明一実施例に係る立体模様装飾体の光の反射作用を示す断面図である。図４は、本発明一実施例に係る立体模様装飾体の光の反射作用を示す表面図である。
【００３３】
先ず、図２を参照して、この実施例に係る立体模様装飾体１００の製造工程を説明する。図２において、この実施例では、柔軟性のある透明シート１１０をＰＥＴフィルムと呼ばれるポリエチレンテレフタレート樹脂からなる高分子フィルムで形成する。
【００３４】
図２（ａ）に示すように、立体模様装飾体１００の製造に当たっては、先ず、透明シート１１０の一面に、透明なインキまたは、この透明なインキに色素を付加させた透光性のあるインキでスクリーン印刷することによりカラー層１２０を形成する。
【００３５】
次に、図２（ｂ）に示すように、カラー層１２０の上に、図１に示す規則性を備えた波形で形成される１本の波形線１３１を横方向に同一ピッチで多数配列させた模様をＵＶインキ（紫外線硬化型インキ）でスクリーン印刷する。
【００３６】
そして、図２（ｃ）に示すように、スクリーン印刷した模様に紫外線を照射させることにより、ＵＶインキを硬化させる。この紫外線の照射により、各波形線１３１の断面は丸みのあるほぼ半円形状となって、レンズ効果を得やすくすることができる。
【００３７】
次に、図２（ｄ）に示すように、ＵＶインキを硬化させた紫外線硬化型インキ層１３０の上に、粉状の光反射成分を含有せしめてなる反射効率が良好なインキでスクリーン印刷することにより鏡面層１４０を形成する。
【００３８】
次に、図２（ｅ）に示すように、鏡面層１４０の上に、耐スクラッチ性を高めるためだけでなく、耐性（耐環境性）を向上させる抑え印刷を施して抑え印刷層１５０を形成する。
【００３９】
なお、この実施例では、柔軟性のある透明シート１１０に多層に印刷を施すことで立体模様装飾体１００を製造する事例で説明した。この実施例によれば、立体模様装飾体１００に柔軟性があるので、開閉蓋２０のように電気製品の筺体１０に簡単に張り付けて意匠性を向上することができる。なお、柔軟性のある透明シート１１０に換えて、硬性を備えて透明素材に前記した多層の印刷を施すことで同様な効果が得られる立体模様装飾体１００を制作することもできる。
【００４０】
次に、図３と図４を用いて、立体模様装飾体１００の作用効果をさらに説明する。
【００４１】
先ず、図３において、この実施例では、紫外線硬化型インキ層１３０を構成する波形模様の各波形線１３１（図１参照）がほぼ半円形状の断面形状で形成されるのでレンズの作用を備えている。
【００４２】
つまり、透明シート１１０に所定角度θ１で入射する光Ｐ１は、透明シート１１０を通過してカラー層１２０を通過することでカラー層１２０の色味が付加されて紫外線硬化型インキ層１３０に至り、そのレンズ効果により、屈折されて、鏡面層１４０により反射して、カラー層１２０と透明シート１１０とを通過して観察することができる。この観察の際、紫外線硬化型インキ層１３０の波型の模様と、鏡面層１４０で反射する紫外線硬化型インキ層１３０の模様とにずれが生じる。
【００４３】
一方、透明シート１１０に入射する角度が異なると、鏡面層１４０で反射する紫外線硬化型インキ層１３０の模様のずれが異なって生じる。つまり、所定角度θ２で透明シート１１０に入射する光Ｐ２は、紫外線硬化型インキ層１３０により異なる角度で屈折されて鏡面層１４０で反射するので、外から観察する模様のずれも異なることとなる。
【００４４】
そして、この実施例では、紫外線硬化型インキ層１３を構成する模様が各波形線１３１が連続する線模様となっているので、観察位置から観察する線模様のそれぞれの位置でも屈折率が異なる。したがって、観察位置を移動させて、紫外線硬化型インキ層１３１を観察すると、線模様のそれぞれの位置の模様のずれが異なって変化することとなる。これにより、深みのある干渉縞を出現させることができる。
【００４５】
図４には、この実施例に係る立体模様装飾体１００で得られる干渉縞の変化の対応を説明している。なお、この実施例では、凸模様の頂点が５ｍｍピッチの波模様を採用している。
【００４６】
先ず、この実施例では、立体模様装飾体１００を取り付ける際に、波形線１３１の連続する方向が図４に示すように電気洗濯機１の前後方向（紙面の上下方向）となる姿勢で取り付ける。
【００４７】
このような取り付け姿勢をとると、観察者の見る角度（Ｐ１、Ｐ２、Ｐ３）が変化すると、立体模様装飾体１００に出現する光の横模様が見る角度により変化する深みのある干渉縞を得ることができる。
【００４８】
つまり、図４には、観察者の見る角度θ１の図４（ａ）から、角度θ２の図４（ｂ）を経て、図４（ｃ）の角度θ３に移動する状態を示している。各図は、立体模様装飾体１００の上面図と、側面図とを左右に並べて図示している。
【００４９】
先ず、図４(ａ)に示す角度θ１では、波形の頂点Ｑの手前側の裾野部Ｑ１が光って左右方向に連続する光の帯１６０として観察することができる。この実施例では、波形模様を同一ピッチで形成しているので、この光の帯１６０は前後方向（紙面の上下方向）に同一ピッチで出現するように観察することができる。
【００５０】
この光の帯１６０は、角度θ１を小さくして図４（ｃ）に示す角度θ３に移動すると、この光の帯１６０は、波形の頂点Ｑの後側の裾野部Ｑ２に移動した状態で観察することができる。そして、この実施例では、立体模様装飾体１００の模様を連続した線模様で形成される波型模様とすることで、図４（ａ）の状態から図４(ｃ)の状態に至る変化を連続した変化で観察することができる。
【００５１】
この変化の対応を図４（ｂ）に示す。つまり、角度θ１から角度θ３に至る角度θ２では、波形の頂点Ｑの手前側の裾野部Ｑ１に出現する光の帯１６０は、角度が変化するに従って、２本の光の帯１６０ａ、１６０ｂに分かれて、頂点Ｑ側の光の帯１６０ａは徐々に移動して頂点Ｑの後側に移動し、頂点Ｑの反対側の光の帯１６０ｂは徐々に移動して隣の頂点Ｑの後側に移動する。そして、移動した２本の光の帯１６０ａ、１６０ｂが合体して図４（ｃ）に示す波形の頂点Ｑの反対側の裾野部Ｑ２に出現する光の帯１６０となる。
【００５２】
この移動の際、光の帯１６０ａは、波形の頂点Ｑの頂点近傍の波形角度の小さい位置を移動するので、移動量は小さく、かつ光の帯１６０ａの太さも細い。一方、光の帯１６０ｂは、波形の裾野近傍の波形角度が大きい位置を移動するので、移動量も大きく、また光の帯１６０ｂの太さも太くなる。更に、分かれた２本の光の帯１６０ａと１６０ｂは、分かれたと言っても、その間はグラデーションで連続して他の部分よりも明るく出現する。
【００５３】
このように、この実施例によれば、横縞模様がグラデーション効果を得ながら徐々に太くなったり細くなったり変化する干渉縞となって出現するので、深みのある効果的な装飾効果を得ることができる。
【００５４】
(他の応用例)
図５に、他の応用例を示す。この発明に係る立体模様装飾体１００は、紫外線硬化型インキ層１３０を構成する線模様１３２が多数本隣り合うように連続した模様で構成する。そして、各線模様１３２は、矢印で示す観察者の見る方向に対して、斜めに位置するように設けることにより、その角度に対応して移動量（変化量）が変化する干渉縞を得ることができる。
【００５５】
例えば、図５（ａ）では、ジグザグ模様が連続した模様を示している。この実施例では、見る方向に対して、各線模様１３２が一律な角度で設けられているので、その移動量（変化量）は一律となる。また、頂点Ｑ１が鋭角なため、この頂点Ｑ１近傍の変化は連続したものでなく、急激に変化することとなる。
【００５６】
また、図５（ｂ）の実施例は、斜め模様が施された菱形の区画１８０を、斜め模様が交差するように千鳥状に配置した模様の実施例である。また、図５（ｃ）の実施例では、マトリックス状に配置された区画１８０に、曲線または直線の線模様を配列し、隣り合う区画１８０の模様を異なる方向性をもったものとするものである。この図５（ｂ）および図５（ｃ）に示すように、線模様を一律に配列された区画１８０に分割し、その各区画１８０に設けられる線模様を異なる模様で形成することにより、各区画１８０ごとに変化する深みのある干渉縞を得ることができる。
【００５７】
また、図５（ｄ）に示す実施例は、この柔軟性のある透明シート１１０で形成される立体模様装飾体１００と透明な樹脂材料１９０を同時にインサート成型した実施例を示している。この実施例によれば、透明な樹脂成型の部品自体に、深みのある干渉縞を付与することができる。
【００５８】
また、以上の実施例では、耐久性を備えた立体模様装飾体１００を説明したが、透明な樹脂材料の表面に前記実施例と同様な印刷を施すことにより、装飾効果の高い干渉縞を得ることができる。
【００５９】
例えば、樹脂材料の表面に第１層となる鏡面層１４０を印刷し、その表面に紫外線硬化型インキ層１３０を形成し、その表面にカラー層１２０を形成し、最上部に、耐久のある透明なＵＶ塗装を施すことでもよい。
【符号の説明】
【００６０】
１…電気洗濯機、１０…筺体、１１…ベース筺体、１２…トップカバー、１３…下部筺体、１４…操作スイッチ部、１５…前部配置面、１６…給水口、１７…後部配置面、２０…開閉蓋、２１…連結部、２２…ハンドル、１００…立体模様装飾体、１１０…透明シート、１２０…カラー層、１３０…紫外線硬化型インキ層、１３１…波形線、１３２…線模様、１４０…鏡面層、１５０…抑え印刷層、１６０…光の帯、１８０…区画、１９０…樹脂材料。
【図１】
2011245627.tif 000003
【図２】
2011245627.tif 000004
【図３】
2011245627.tif 000005
【図４】
2011245627.tif 000006
【図５】
2011245627.tif 000007